(57)【要約】【課題】ユーザーが容易に所望の位置に可変抵抗を位置させることができるようにすること。【解決手段】音楽再生装置１は、複数の可変抵抗ＶＲ１〜ＶＲ３を有するロータリースイッチＳＷ１付ポテンショメータ６と、マイクロコンピュータ２と、を備える。マイクロコンピュータ２は、可変抵抗ＶＲ３に所定電位を与えた場合の、可変抵抗ＶＲ３による分圧値を記憶し、記憶した分圧値に対応する可変抵抗ＶＲ１、ＶＲ２の位置を報知する。【選択図】図１
2018182729.tif 000002
【特許請求の範囲】
【請求項１】
可変抵抗を有するロータリースイッチ付ポテンショメータと、
制御部と、を備え、
前記制御部は、前記可変抵抗に所定電位を与えた場合の、前記可変抵抗による分圧値を記憶し、記憶した分圧値に対応する前記可変抵抗の位置を報知することを特徴とする電子機器。
【請求項２】
前記ロータリースイッチ付ポテンショメータは、複数の前記可変抵抗を有し、
前記制御部は、前記複数の可変抵抗のいずれかの可変抵抗に所定電位を与えた場合の、前記可変抵抗による分圧値を記憶し、記憶した分圧値に対応する可変抵抗の位置を報知することを特徴とする請求項１に記載の電子機器。
【請求項３】
前記ロータリースイッチ付ポテンショメータは、
左チャンネル音声信号用の第１可変抵抗と、
右チャンネル音声信号用の第２可変抵抗と、
第３可変抵抗と、を有するロータリースイッチ付一軸三連ポテンショメータであり、
前記制御部は、前記第３可変抵抗に所定電位を与えた場合の、前記第３可変抵抗による分圧値を記憶することを特徴とする請求項２に記載の電子機器。
【請求項４】
前記ロータリースイッチ付ポテンショメータは、
モノラル音声信号用の第１可変抵抗と、
第２可変抵抗と、を有するロータリースイッチ付一軸二連ポテンショメータであり、
前記制御部は、前記第２可変抵抗に所定電位を与えた場合の、前記第２可変抵抗による分圧値を記憶することを特徴とする請求項２に記載の電子機器。
【請求項５】
前記制御部は、前記可変抵抗による分圧値が、記憶した分圧値となるまで、音声出力をミュートし、前記可変抵抗による分圧値が、記憶した分圧値となると、音声出力のミュートを解除することで、前記可変抵抗の位置を報知することを特徴とする請求項１に記載の電子機器。
【請求項６】
前記制御部は、前記複数の可変抵抗のいずれかの可変抵抗による分圧値が、記憶した分圧値となるまで、音声出力をミュートし、前記複数の可変抵抗のいずれかの可変抵抗による分圧値が、記憶した分圧値となると、音声出力のミュートを解除することで、前記可変抵抗の位置を報知することを特徴とする請求２項〜４のいずれか１項に記載の電子機器。
【請求項７】
前記制御部は、記憶した分圧値を中心とした所定の範囲を、出力有効範囲に設定し、前記可変抵抗による分圧値が、出力有効範囲に入るまで、音声出力をミュートし、前記可変抵抗による分圧値が、出力有効範囲に入ると、音声出力のミュートを解除することで、前記可変抵抗の位置を報知することを特徴とする請求項１に記載の電子機器。
【請求項８】
前記制御部は、記憶した分圧値を中心とした所定の範囲を、出力有効範囲に設定し、前記複数の可変抵抗のいずれかの可変抵抗による分圧値が、出力有効範囲に入るまで、音声出力をミュートし、前記複数の可変抵抗のいずれかの可変抵抗による分圧値が、出力有効範囲に入ると、音声出力のミュートを解除することで、前記可変抵抗の位置を報知することを特徴とする請求項２〜４のいずれか１項に記載の電子機器。
【請求項９】
デジタル音声信号をアナログ音声信号に変換するＤ／Ａコンバータをさらに備え、
前記制御部は、前記Ｄ／Ａコンバータにより、音声出力のミュート、及び、ミュートの解除を行うことを特徴とする請求項５〜８のいずれか１項に記載の電子機器。
【請求項１０】
スイッチをさらに備え、
前記制御部は、前記スイッチの操作を受け付けた場合、前記可変抵抗に所定電位を与えた場合の、前記可変抵抗による分圧値を記憶することを特徴とする請求項１、５、７のいずれか１項に記載の電子機器。
【請求項１１】
スイッチをさらに備え、
前記制御部は、前記スイッチの操作を受け付けた場合、前記複数の可変抵抗のいずれかの可変抵抗に所定電位を与えた場合の、前記可変抵抗による分圧値を記憶することを特徴とする請求項２〜４、６、８、９のいずれか１項に記載の電子機器。
【請求項１２】
前記制御部は、前記可変抵抗に所定電位を与え、前記可変抵抗による分圧値が変動していない場合の、前記可変抵抗による分圧値を記憶することを特徴とする請求項１、５、７のいずれか１項に記載の電子機器。
【請求項１３】
前記制御部は、前記複数の可変抵抗のいずれかの可変抵抗に所定電位を与え、前記可変抵抗による分圧値が変動していない場合の、前記可変抵抗による分圧値を記憶することを特徴とする請求項２〜４、６、８、９のいずれか１項に記載の電子機器。
【請求項１４】
前記制御部は、表示により、記憶した分圧値に対応する前記可変抵抗の位置を報知することを特徴とする請求項１又は２に記載の電子機器。
【請求項１５】
前記制御部は、音により、記憶した分圧値に対応する前記可変抵抗の位置を報知することを特徴とする請求項１又は２に記載の電子機器。
【発明の詳細な説明】
【技術分野】
【０００１】
本発明は、ロータリースイッチ付ポテンショメータを有する電子機器に関する。
【背景技術】
【０００２】
ポータブルヘッドホンアンプのような電子機器において、ツマミとなる部分に、ロータリースイッチ付のポテンショメータが使用されている場合がある。その他、例えば、テレビに接続され、ユーザーの手元に置いて使用される手元スピーカーにも、ロータリースイッチ付のポテンショメータが使用されている。この場合、電子機器の電源のオン／オフと、可変抵抗の分圧による音量等の調整と、がツマミにより同時に実現される。ユーザーは、電源をオフするとき、ロータリースイッチをオフするために、ツマミをいっぱいに回すこととなり、電源をオフする前の調整状態は、必然的に維持されない。このため、ユーザーは、電源をオンするたびに、調整をやり直すことになる。
【０００３】
ツマミの回転による調整を行う場合の調整方法として、例えば、音量等の調整にマイクロコンピュータが介在し、信号量の調整回路をマイクロコンピュータが制御する場合等においては、調整数値化された調整量を表示装置（例えば、ＬＣＤ、ＯＬＥＤ、ＶＦＤ）に表示する。ユーザーは、それを確認しながら、調整すればよい。しかしながら、上記のような、ポテンショメータが使用される場合、信号量調整回路が、ポテンショメータの可変抵抗における分圧のみで成り立っていれば、マイクロコンピュータは、信号量の調整に介在する必要がなく、表示装置のない製品仕様となる。
【０００４】
また、表示装置のないような製品仕様の場合でも、ツマミの周囲に目盛を付け、ユーザーは、それを目安にツマミを合わせるという場合が考えられる。しかしながら、製品の形状による制約、デザイン性により、ツマミの周囲に目盛のない場合もある。そのような場合、ユーザーの調整方法としては、ツマミの角度をおおよその位置に視覚的に合わせるか、又は、調整による実際の出力を確認しながら合わせることになる。
【０００５】
そのような場合、もしユーザーがいつも所望の調整位置に設定したいと考える場合でも、上記のような操作による調整は、調整するたびに誤差の発生が予想される。また、ポテンショメータの抵抗特性カーブによっては、少しの回転で音量が大きく変わる角度位置もあり、さらに調整の再現性が難しくなる。
【０００６】
なお、特許文献１には、可変抵抗を用いて回転角度を検出し、検出した回転角度を記憶する技術が開示されている。
【先行技術文献】
【特許文献】
【０００７】
【特許文献１】特開平５−２８３９５７号公報
【発明の概要】
【発明が解決しようとする課題】
【０００８】
上述のように、ユーザーは、所望の位置に可変抵抗を位置させることが難しいという問題がある。
【０００９】
本発明の目的は、ユーザーが容易に所望の位置に可変抵抗を位置させることができるようにすることである。
【課題を解決するための手段】
【００１０】
第１の発明の電子機器は、可変抵抗を有するロータリースイッチ付ポテンショメータと、制御部と、を備え、前記制御部は、前記可変抵抗に所定電位を与えた場合の、前記可変抵抗による分圧値を記憶し、記憶した分圧値に対応する前記可変抵抗の位置を報知することを特徴とする。
【００１１】
本発明では、制御部は、記憶している分圧値に対応する可変抵抗の位置を報知する。これにより、ユーザーは、容易に所望の位置に可変抵抗を位置させることができる。
【００１２】
第２の発明の電子機器は、第１の発明の電子機器において、前記ロータリースイッチ付ポテンショメータは、複数の前記可変抵抗を有し、前記制御部は、前記複数の可変抵抗のいずれかの可変抵抗に所定電位を与えた場合の、前記可変抵抗による分圧値を記憶し、記憶した分圧値に対応する可変抵抗の位置を報知することを特徴とする。
【００１３】
第３の発明の電子機器は、第２の発明の電子機器において、前記ロータリースイッチ付ポテンショメータは、左チャンネル音声信号用の第１可変抵抗と、右チャンネル音声信号用の第２可変抵抗と、第３可変抵抗と、を有するロータリースイッチ付一軸三連ポテンショメータであり、前記制御部は、前記第３可変抵抗に所定電位を与えた場合の、前記第３可変抵抗による分圧値を記憶することを特徴とする。
【００１４】
第４の発明の電子機器は、第２の発明の電子機器において、前記ロータリースイッチ付ポテンショメータは、モノラル音声信号用の第１可変抵抗と、第２可変抵抗と、を有するロータリースイッチ付一軸二連ポテンショメータであり、前記制御部は、前記第２可変抵抗に所定電位を与えた場合の、前記第２可変抵抗による分圧値を記憶することを特徴とする。
【００１５】
第５の発明の電子機器は、第１の発明の電子機器において、前記制御部は、前記可変抵抗による分圧値が、記憶した分圧値となるまで、音声出力をミュートし、前記可変抵抗による分圧値が、記憶した分圧値となると、音声出力のミュートを解除することで、前記可変抵抗の位置を報知することを特徴とする。
【００１６】
本発明では、制御部は、可変抵抗による分圧値が、記憶した分圧値となるまで、音声出力をミュートし、可変抵抗による分圧値が、記憶した分圧値となると、音声出力のミュートを解除することで、可変抵抗の位置を報知する。これにより、ユーザーは、音声が出力されることで、可変抵抗が所望の位置となったことを理解することができる。また、報知用のＬＥＤ、効果音の発生も不要である。
【００１７】
第６の発明の電子機器は、第２〜第４のいずれかの発明の電子機器において、前記制御部は、前記複数の可変抵抗のいずれかの可変抵抗による分圧値が、記憶した分圧値となるまで、音声出力をミュートし、前記複数の可変抵抗のいずれかの可変抵抗による分圧値が、記憶した分圧値となると、音声出力のミュートを解除することで、前記可変抵抗の位置を報知することを特徴とする。
【００１８】
本発明では、制御部は、複数の可変抵抗のいずれかの可変抵抗による分圧値が、記憶した分圧値となるまで、音声出力をミュートし、複数の可変抵抗のいずれかの可変抵抗による分圧値が、記憶した分圧値となると、音声出力のミュートを解除することで、可変抵抗の位置を報知する。これにより、ユーザーは、音声が出力されることで、可変抵抗が所望の位置となったことを理解することができる。また、報知用のＬＥＤ、効果音の発生も不要である。
【００１９】
第７の発明の電子機器は、第１の発明の電子機器において、前記制御部は、記憶した分圧値を中心とした所定の範囲を、出力有効範囲に設定し、前記可変抵抗による分圧値が、出力有効範囲に入るまで、音声出力をミュートし、前記可変抵抗による分圧値が、出力有効範囲に入ると、音声出力のミュートを解除することで、前記可変抵抗の位置を報知することを特徴とする。
【００２０】
第８の発明の電子機器は、第２〜第４のいずれかの発明の電子機器において、前記制御部は、記憶した分圧値を中心とした所定の範囲を、出力有効範囲に設定し、前記複数の可変抵抗のいずれかの可変抵抗による分圧値が、出力有効範囲に入るまで、音声出力をミュートし、前記複数の可変抵抗のいずれかの可変抵抗による分圧値が、出力有効範囲に入ると、音声出力のミュートを解除することで、前記可変抵抗の位置を報知することを特徴とする。
【００２１】
第９の発明の電子機器は、第５〜第８のいずれかの発明の電子機器において、デジタル音声信号をアナログ音声信号に変換するＤ／Ａコンバータをさらに備え、前記制御部は、前記Ｄ／Ａコンバータにより、音声出力のミュート、及び、ミュートの解除を行うことを特徴とする。
【００２２】
第１０の発明の電子機器は、第１、第５、第７のいずれかの発明の電子機器において、スイッチをさらに備え、前記制御部は、前記スイッチの操作を受け付けた場合、前記可変抵抗に所定電位を与えた場合の、前記可変抵抗による分圧値を記憶することを特徴とする。
【００２３】
本発明では、制御部は、スイッチの操作を受け付けた場合、可変抵抗に所定電位を与えた場合の、可変抵抗による分圧値を記憶する。これにより、ユーザーは、スイッチを操作することで、可変抵抗の所望の位置を設定することができる。
【００２４】
第１１の発明の電子機器は、第２〜第４、第６、第８、第９のいずれかの発明の電子機器において、スイッチをさらに備え、前記制御部は、前記スイッチの操作を受け付けた場合、前記複数の可変抵抗のいずれかの可変抵抗に所定電位を与えた場合の、前記可変抵抗による分圧値を記憶することを特徴とする。
【００２５】
本発明では、制御部は、スイッチの操作を受け付けた場合、複数の可変抵抗のいずれかの可変抵抗に所定電位を与えた場合の、可変抵抗による分圧値を記憶する。これにより、ユーザーは、スイッチを操作することで、可変抵抗の所望の位置を設定することができる。
【００２６】
第１２の発明の電子機器は、第１、第５、第７のいずれかの発明の電子機器において、前記制御部は、前記可変抵抗に所定電位を与え、前記可変抵抗による分圧値が変動していない場合の、前記可変抵抗による分圧値を記憶することを特徴とする。
【００２７】
本発明では、制御部は、可変抵抗に所定電位を与え、可変抵抗による分圧値が変動していない場合の、可変抵抗による分圧値を記憶する。これにより、ユーザーは、可変抵抗を所望の位置に操作することで、可変抵抗の所望の位置を設定することができる。
【００２８】
第１３の発明の電子機器は、第２〜第４、第６、第８、第９のいずれかの発明の電子機器において、前記制御部は、前記複数の可変抵抗のいずれかの可変抵抗に所定電位を与え、前記可変抵抗による分圧値が変動していない場合の、前記可変抵抗による分圧値を記憶することを特徴とする。
【００２９】
本発明では、制御部は、複数の可変抵抗のいずれかの可変抵抗に所定電位を与え、可変抵抗による分圧値が変動していない場合の、可変抵抗による分圧値を記憶する。これにより、ユーザーは、可変抵抗を所望の位置に操作することで、可変抵抗の所望の位置を設定することができる。
【００３０】
第１４の発明の電子機器は、第１又は第２の発明の電子機器において、前記制御部は、表示により、記憶した分圧値に対応する前記可変抵抗の位置を報知することを特徴とする。
【００３１】
第１５の発明の電子機器は、第１又は第２の発明の電子機器において、前記制御部は、音により、記憶した分圧値に対応する前記可変抵抗の位置を報知することを特徴とする。
【発明の効果】
【００３２】
本発明によれば、ユーザーは、容易に所望の位置に可変抵抗を位置させることができる。
【図面の簡単な説明】
【００３３】
【図１】本発明の第１実施形態に係る音楽再生装置の構成を示すブロック図である。
【図２】本発明の第２実施形態に係る音楽再生装置の構成を示すブロック図である。
【発明を実施するための形態】
【００３４】
以下、本発明の実施形態について説明する。図１は、第１実施形態に係る音楽再生装置の構成を示すブロック図である。音楽再生装置１（電子機器）は、音声信号に基づいて、音楽を再生する。音楽再生装置１は、マイクロコンピュータ２と、Ｄ／Ａコンバータ（以下、「ＤＡＣ」という。）３と、増幅器４、５と、ロータリースイッチ付一軸三連ポテンショメータ（以下、単に「ポテンショメータ」という。）６と、スイッチＳＷ２と、を備える。なお、増幅器４、５は、必須の構成ではない。
【００３５】
マイクロコンピュータ２（制御部）は、ＣＰＵ（Central Processing Unit）、ＲＯＭ（Read Only Memory）、ＲＡＭ（Random Access Memory）、入出力インターフェース等のハードウェアから構成されている。マイクロコンピュータ２は、音楽再生装置１を構成する各部を制御する。ＤＡＣ３は、Ｌチャンネル、Ｒチャンネルのデジタル音声信号をアナログ音声信号にＤ／Ａ変換する。ＤＡＣ３によりＤ／Ａ変換されたアナログ音声信号は、増幅器４、５に出力される。増幅器４は、Ｌチャンネルのアナログ音声信号を増幅する。増幅器４により増幅されたＬチャンネルのアナログ音声信号は、ポテンショメータ６の可変抵抗ＶＲ１に出力される。増幅器５は、Ｒチャンネルのアナログ音声信号を増幅する。増幅器５により増幅されたＲチャンネルのアナログ音声信号は、ポテンショメータ６の可変抵抗ＶＲ２に出力される。
【００３６】
ポテンショメータ６は、可変抵抗ＶＲ１〜ＶＲ３、ロータリースイッチＳＷ１を有する。可変抵抗ＶＲ１〜ＶＲ３は、ユーザー操作により、抵抗値が変化する。可変抵抗ＶＲ１（第１可変抵抗）は、Ｌ（左）チャンネルのアナログ音声信号用である。可変抵抗ＶＲ１の一端は、増幅器４に接続されている。可変抵抗ＶＲ１の他端は、グラウンドＧＮＤに接続されている。可変抵抗ＶＲ１は、Ｌチャンネルのアナログ音声信号を分圧する。可変抵抗ＶＲ１により分圧されたＬチャンネルのアナログ音声信号は、Ｌチャンネル出力端子に出力される。
【００３７】
可変抵抗ＶＲ２（第２可変抵抗）は、Ｒ（右）チャンネルのアナログ音声信号用である。可変抵抗ＶＲ２の一端は、増幅器５に接続されている。可変抵抗ＶＲ２の他端は、グラウンドＧＮＤに接続されている。可変抵抗ＶＲ２は、Ｒチャンネルのアナログ音声信号を分圧する。可変抵抗ＶＲ２により分圧されたＲチャンネルのアナログ音声信号は、Ｒチャンネル出力端子に出力される。
【００３８】
可変抵抗ＶＲ３（第３可変抵抗）は、可変抵抗ＶＲ１、ＶＲ２の位置を記憶するための可変抵抗である。可変抵抗ＶＲ３の一端は、所定電位の電圧を供給する電源ＶＣＣに接続されている。可変抵抗ＶＲ３の他端は、グラウンドＧＮＤに接続されている。可変抵抗ＶＲ３は、電源ＶＣＣからの電圧を分圧する。可変抵抗ＶＲ３による分圧値は、マイクロコンピュータ２のＡ／ＤポートＡＤＣ１に出力される。ロータリースイッチＳＷ１の一端は、マイクロコンピュータ２の入力ポートＩＮ１に接続されている。ロータリースイッチＳＷ１の他端は、グラウンドＧＮＤに接続されている。
【００３９】
スイッチＳＷ２は、可変抵抗ＶＲ１、ＶＲ２の位置を記憶するためのスイッチである。スイッチＳＷ２の一端は、マイクロコンピュータ２の入力ポートＩＮ２に接続されている。スイッチＳＷ２の他端は、グラウンドＧＮＤに接続されている。なお、スイッチＳＷ２は、タクトスイッチ、スライドスイッチ、トグルスイッチ等であればよい。なお、ロータリースイッチＳＷ１、スイッチＳＷ２において、ロー／ハイの極性が特定できればよいため、ロータリースイッチＳＷ１、スイッチＳＷ２の他端は、必ずしもグランドＧＮＤに接続される必要はない。
【００４０】
マイクロコンピュータ２は、スイッチＳＷ２のオン操作を受け付けると、可変抵抗ＶＲ１、ＶＲ２の位置を記憶するため、Ａ／ＤポートＡＤＣ１のＡ／Ｄ値を読み取り、読み取ったＡ／Ｄ値を記憶する。従って、ユーザーは、スイッチＳＷ２をオンとすることで、所望の音量を音楽再生装置１に設定することができる。マイクロコンピュータ２は、Ａ／Ｄ値を中心とした所定の範囲を出力有効範囲とする。マイクロコンピュータ２は、スイッチＳＷ１がオフとなり、電源がオフとなった後、スイッチＳＷ１がオンとなり、電源がオンとなった後、ＤＡＣ４により、音声出力をミュートする。そして、マイクロコンピュータ２は、ユーザーがポテンショメータ６を操作して、出力有効範囲に可変抵抗ＶＲ３の分圧値が達すると、ＤＡＣ３による音声出力のミュートを解除する。
【００４１】
以上説明したように、本実施形態では、マイクロコンピュータ２は、記憶している分圧値に対応する可変抵抗ＶＲ１、ＶＲ２の位置を報知する。これにより、ユーザーは、容易に所望の位置に可変抵抗ＶＲ１、ＶＲ２を位置させることができる。
【００４２】
また、本実施形態では、マイクロコンピュータ２は、可変抵抗ＶＲ３による分圧値が、記憶した分圧値となるまで、音声出力をミュートし、可変抵抗ＶＲ３による分圧値が、記憶した分圧値となると、音声出力のミュートを解除することで、可変抵抗ＶＲ１、ＶＲ２の位置を報知する。これにより、ユーザーは、音声が出力されることで、可変抵抗ＶＲ１、ＶＲ２が所望の位置となったことを理解することができる。また、報知用のＬＥＤ、効果音の発生も不要である。
【００４３】
また、本実施形態では、マイクロコンピュータ２は、スイッチＳＷ２の操作を受け付けた場合、可変抵抗ＶＲ３に所定電位を与えた場合の、可変抵抗ＶＲ３による分圧値を記憶する。これにより、ユーザーは、スイッチＳＷ２を操作することで、可変抵抗ＶＲ１、ＶＲ２の所望の位置を設定することができる。
【００４４】
図２は、第２実施形態に係る音楽再生装置の構成を示すブロック図である。図２に示すように、音楽再生装置１（電子機器）は、マイクロコンピュータ１２と、ＤＳＰ（Digital Signal Processor）１３と、ロータリースイッチ付一軸一連ポテンショメータ（以下、単に「ポテンショメータ」という。）１４と、スイッチＳＷ４と、を備える。
【００４５】
マイクロコンピュータ１２（制御部）は、ＣＰＵ、ＲＯＭ、ＲＡＭ、入出力インターフェース等のハードウェアから構成されている。マイクロコンピュータ１２は、音楽再生装置１を構成する各部を制御する。ＤＳＰ１３は、デジタル音声信号にイコライジング等の信号処理を行う。また、ＤＳＰ１３は、音声信号の音量を調整する。なお、本実施形態では、ＤＳＰ１３が、音声信号の音量を調整するようになっているが、Ｄ／Ａコンバータ（ＤＡＣ）、増幅回路が音量調整するようになっていてもよい。
【００４６】
ポテンショメータ１４は、可変抵抗ＶＲ４、ロータリースイッチＳＷ３を有する。可変抵抗ＶＲ４は、ユーザー操作により、抵抗値が変化する。可変抵抗ＶＲ４の一端は、所定電位の電圧を供給する電源ＶＣＣに接続されている。可変抵抗ＶＲ４の他端は、グラウンドＧＮＤに接続されている。可変抵抗ＶＲ４は、電源ＶＣＣからの電圧を分圧する。可変抵抗ＶＲ４による分圧値は、マイクロコンピュータ１２のＡ／ＤポートＡＤＣ１に出力される。ロータリースイッチＳＷ３の一端は、マイクロコンピュータ１２の入力ポートＩＮ１に接続されている。ロータリースイッチＳＷ３の他端は、グラウンドＧＮＤに接続されている。
【００４７】
詳細は後述するが、音量調整モードとして、通常モードとメモリーモードとが存在する。通常モードでは、マイクロコンピュータ１２は、Ａ／ＤポートＡＤＣ１のＡ／Ｄ変換値を読み取る。ここで、マイクロコンピュータ１２は、Ａ／Ｄ変換値に従った出力音量設定テーブルを記憶しており、出力音量設定テーブルに基づいて、Ａ／Ｄ変換値に対応する音量をＤＳＰ１３に設定する。ＤＳＰ１３は、マイクロコンピュータ１２により設定された音量に基づいて、音量を調整する。なお、初期設定は、通常モードであり、ユーザーは、ツマミを介して、ポテンショメータ１４を操作することで、音量を調整する。
【００４８】
スイッチＳＷ４は、音量調整モード（通常モード／メモリーモード）を切り替えるためのスイッチである。スイッチＳＷ４がオフの状態では、通常モードである。また、スイッチＳＷ４がオンになると、メモリーモードとなる。メモリーモードは、スイッチＳＷ４がオンとなったときの可変抵抗ＶＲ４の位置（Ａ／ＤポートＡＤＣ１のＡ／Ｄ変換値）を記憶し、記憶した位置（Ａ／Ｄ変換値）をユーザーに報知するモードである。言い換えれば、スイッチＳＷ４は、可変抵抗ＶＲ４の位置を記憶するためのスイッチである。スイッチＳＷ４の一端は、マイクロコンピュータ１２の入力ポートＩＮ２に接続されている。スイッチＳＷ４の他端は、グラウンドＧＮＤに接続されている。なお、スイッチＳＷ４は、タクトスイッチ、スライドスイッチ、トグルスイッチ等であればよい。なお、ロータリースイッチＳＷ３、スイッチＳＷ４において、ロー／ハイの極性が特定できればよいため、ロータリースイッチＳＷ３、スイッチＳＷ４の他端は、必ずしもグランドＧＮＤに接続される必要はない。
【００４９】
マイクロコンピュータ１２は、スイッチＳＷ４のオン操作を受け付けると、可変抵抗ＶＲ４の位置を記憶するため、Ａ／ＤポートＡＤＣ１のＡ／Ｄ変換値を読み取り、読み取ったＡ／Ｄ変換値を記憶する。従って、ユーザーは、スイッチＳＷ４をオンとすることで、所望の音量を音楽再生装置１に設定することができる。マイクロコンピュータ１２は、Ａ／Ｄ値を中心とした所定の範囲を出力有効範囲とする。マイクロコンピュータ１２は、スイッチＳＷ３がオフとなり、電源がオフとなった後、スイッチＳＷ３がオンとなり、電源がオンとなった後、ＤＳＰ１３により、音声出力をミュートする。そして、マイクロコンピュータ２は、ユーザーがポテンショメータ６を操作して、出力有効範囲に可変抵抗ＶＲ４の分圧値が達すると、ＤＳＰ１３による音声出力のミュートを解除する。なお、Ｄ／Ａコンバータ（ＤＡＣ）、増幅回路が音量調整する場合、音声出力のミュートは、ＤＡＣ、増幅回路により行われる。
【００５０】
以上説明したように、本実施形態では、マイクロコンピュータ１２は、記憶している分圧値に対応する可変抵抗ＶＲ４の位置を報知する。これにより、ユーザーは、容易に所望の位置に可変抵抗ＶＲ４を位置させることができる。
【００５１】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５２】
上述の第１実施形態においては、マイクロコンピュータ２は、音声出力のミュート、及び、ミュートの解除により、所望の音量（可変抵抗ＶＲ１、ＶＲ２の位置）を報知するようになっている。これに限らず、マイクロコンピュータ２は、ＬＥＤ（表示）により、所望の音量（可変抵抗ＶＲ１、ＶＲ２の位置）を報知するようになっていてもよい。マイクロコンピュータ２は、音により、所望の音量（可変抵抗ＶＲ１、ＶＲ２の位置）を報知するようになっていてもよい。
【００５３】
ここで、電源がオンした後、ユーザーがポテンショメータ６を操作した時の、実際のＡ／Ｄ値をＸ、ターゲットの（記憶している）Ａ／Ｄ値をＴ、任意に設定した誤差ａ、ｂ（ａ＞ｂ）とする。Ａ／Ｄ値が、（１）ターゲット値から遠い場合（Ｘ＜Ｔ−ａ、Ｔ−ａ＜Ｘ）、（２）ターゲット値に近づいた場合（Ｔ−ａ＜Ｘ＜Ｔ−ｂ、Ｔ＋ｂ＜Ｘ＜Ｔ＋ａ）、（３）ターゲット値に入った場合（Ｔ−ｂ＜Ｘ＜Ｔ＋ｂ）とする。
【００５４】
ＬＥＤの表示により、所望の音量（ターゲット値）を報知する場合、言い換えれば、所望の音量に誘導する場合、色を変えたり、同じ色であれば、点滅速度を変えたりすること等により、（１）、（２）、（３）の状態を示すことで誘導する。例えば、（１）オレンジＬＥＤ点灯、（２）緑ＬＥＤ点灯、（３）青ＬＥＤ点灯などである。効果音の再生により、所望の音量（ターゲット値）を報知する場合、言い換えれば、所望の音量に誘導する場合、（１）、（２）、（３）で音のパターンを変えることで誘導する。例えば、（１）ピッピッ・・・、（２）ピピピピ・・・、（３）ピーーー等である。これにより、ユーザーは、何も見ずに手探りで音量調整再現が可能になる。なお、効果音のデータとそれを記憶する素子とが必要である。
【００５５】
上述の第１実施形態においては、マイクロコンピュータ２が可変抵抗ＶＲ１、ＶＲ２の位置を記憶するためのスイッチＳＷ２が設けられている。これに限らず、スイッチＳＷ２は、設けられていなくてもよい。マイクロコンピュータ２は、可変抵抗ＶＲ３の分圧値が変動していれば、ポテンショメータ６が操作されていると判断することができる。また、可変抵抗ＶＲ３の分圧値が変動していなければ、ポテンショメータ６が操作されていないと判断することができる。マイクロコンピュータ２は、変動していない可変抵抗ＶＲ３の分圧値を記憶するようになっていてもよい。これにより、ユーザーは、可変抵抗ＶＲ１、ＶＲ２を所望の位置に操作することで、可変抵抗ＶＲ１、ＶＲ２の所望の位置を設定することができる。
【００５６】
上述の第１実施形態においては、ポテンショメータ６は、ロータリースイッチ付一軸三連ポテンショメータである。これに限らず、例えば、モノラル音声信号の場合、ポテンショメータ６は、ロータリースイッチ付一軸二連ポテンショメータであってもよい。この場合、一方の可変抵抗がモノラル音声信号用であり、他方の可変抵抗が、一方の可変抵抗の位置を記憶するための可変抵抗となる。
【００５７】
上述の第２実施形態においては、マイクロコンピュータ１２は、音声出力のミュート、及び、ミュートの解除により、所望の音量（可変抵抗ＶＲ４の位置）を報知するようになっている。これに限らず、マイクロコンピュータ１２は、ＬＥＤ（表示）により、所望の音量（可変抵抗ＶＲ４の位置）を報知するようになっていてもよい。マイクロコンピュータ１２は、音により、所望の音量（可変抵抗ＶＲ４の位置）を報知するようになっていてもよい。
【００５８】
ここで、電源がオンした後、ユーザーがポテンショメータ１４を操作した時の、実際のＡ／Ｄ値をＸ、ターゲットの（記憶している）Ａ／Ｄ値をＴ、任意に設定した誤差ａ、ｂ（ａ＞ｂ）とする。Ａ／Ｄ値が、（１）ターゲット値から遠い場合（Ｘ＜Ｔ−ａ、Ｔ−ａ＜Ｘ）、（２）ターゲット値に近づいた場合（Ｔ−ａ＜Ｘ＜Ｔ−ｂ、Ｔ＋ｂ＜Ｘ＜Ｔ＋ａ）、（３）ターゲット値に入った場合（Ｔ−ｂ＜Ｘ＜Ｔ＋ｂ）とする。
【００５９】
ＬＥＤの表示により、所望の音量（ターゲット値）を報知する場合、言い換えれば、所望の音量に誘導する場合、色を変えたり、同じ色であれば、点滅速度を変えたりすること等により、（１）、（２）、（３）の状態を示すことで誘導する。例えば、（１）オレンジＬＥＤ点灯、（２）緑ＬＥＤ点灯、（３）青ＬＥＤ点灯などである。効果音の再生により、所望の音量（ターゲット値）を報知する場合、言い換えれば、所望の音量に誘導する場合、（１）、（２）、（３）で音のパターンを変えることで誘導する。例えば、（１）ピッピッ・・・、（２）ピピピピ・・・、（３）ピーーー等である。これにより、ユーザーは、何も見ずに手探りで音量調整再現が可能になる。なお、効果音のデータとそれを記憶する素子とが必要である。
【００６０】
上述の第２実施形態においては、マイクロコンピュータ１２が可変抵抗ＶＲ４の位置を記憶するためのスイッチＳＷ４が設けられている。これに限らず、スイッチＳＷ４は、設けられていなくてもよい。マイクロコンピュータ２は、可変抵抗ＶＲ４の分圧値が変動していれば、ポテンショメータ１４が操作されていると判断することができる。また、可変抵抗ＶＲ４の分圧値が変動していなければ、ポテンショメータ１４が操作されていないと判断することができる。マイクロコンピュータ１２は、変動していない可変抵抗ＶＲ４の分圧値を記憶するようになっていてもよい。これにより、ユーザーは、可変抵抗ＶＲ４を所望の位置に操作することで、可変抵抗ＶＲ４の所望の位置を設定することができる。
【産業上の利用可能性】
【００６１】
本発明は、ロータリースイッチ付ポテンショメータを有する電子機器に好適に採用され得る。
【符号の説明】
【００６２】
１、１１  音楽再生装置（電子機器）
２、１２  マイクロコンピュータ（制御部）
３  ＤＡＣ（Ｄ／Ａコンバータ）
４、５  増幅器
６  ポテンショメータ
１３  ＤＳＰ
ＳＷ２  スイッチ
ＳＷ４  スイッチ
【図１】
2018182729.tif 000003
【図２】
2018182729.tif 000004